(57)【要約】【課題】床面の不陸による巾木との間の隙間を見えにくくするとともに、巾木の見え掛りを小さくして壁面を美しく仕上げる。【解決手段】建物において壁と床とが接する部分に設けられ、床面から所定高さの壁面を覆う巾木を折れ曲げて形成する。巾木１は、所定高さの壁面のうち上部を覆う前板部２と、この前板部２の下端から後方に延びる中間板部４と、この中間板部４の後端から下方に延びて所定高さの壁面のうち下部を覆う後板部６とを有する。そして、壁面１０を構成する壁下地材１１の下端を保護すべき所定高さの中間部に位置させ、前板部２を壁下地材１１の下端部１１ａの表面側に位置させ、中間板部４を壁下地材１１の下面側に位置させ、後板部６を壁下地材１１よりも後方の壁の表面側に位置させる。そして、床面１３と中間板部４の間に前板部２の下方から後板部６に向かう空間を形成する。【選択図】図２
2007126922.tif 000002
【特許請求の範囲】
【請求項１】
建物において壁と床とが接する部分に設けられ、床面から所定高さの壁面を覆う巾木であって、
前記所定高さの壁面のうち上部を覆う前板部と、この前板部の下端から後方に延びる中間板部と、この中間板部の後端から下方に延びて前記所定高さの壁面のうち下部を覆う後板部とを有していることを特徴とする巾木。
【請求項２】
請求項１に記載の巾木を用いる巾木の取付構造であって、
壁面を構成する壁板材の下端が前記所定高さの中間部に位置しており、
前記前板部が前記壁板材の下端部の表面側に位置し、前記中間板部が前記壁板材の下面側に位置し、前記後板部が前記壁板材よりも後方の壁の表面側に位置しており、
床面と前記中間板部の間に前記前板部の下方から前記後板部に向かって空間が形成されていることを特徴とする巾木の取付構造。
【請求項３】
前記空間の奥部には床面の変形に応じて伸縮する弾性材が設けられていることを特徴とする請求項２に記載の巾木の取付構造。
【請求項４】
前記巾木は前記中間板部の後端から上方に延びて前記前板部に対向する対向板部を有しており、
この対向板部が前記壁板材の下端部の裏面側に位置していることを特徴とする請求項２または３に記載の巾木の取付構造。
【発明の詳細な説明】
【技術分野】
【０００１】
本発明は、建物において壁が床に接する部分に設けられる巾木及びその取付構造に関する。
【背景技術】
【０００２】
巾木は、壁の下端と床面との間の隙間を隠し、その納まりを美しく仕上げるための板状のものである。さらに、床を掃除する際に、床面から所定高さの壁面を、掃除機の吸込口やモップの先端部などが当たって汚れたり傷ついたりしないように保護するためのものでもある。一般的に、その高さは６０〜１５０ｍｍ程度である。
【０００３】
ところで、経年変化などによって床面に不陸が生じ、床面と巾木の下端との間に隙間ができることがある。そこで、巾木の下にスポンジを付けて、このスポンジが伸びることで隙間を空けないようにし、床面の不陸に対応することが考えられている（例えば、特許文献１参照。）。
【特許文献１】特開平１１−２４１４９３号公報
【発明の開示】
【発明が解決しようとする課題】
【０００４】
しかし、従来の巾木では、壁面の下部に沿って６０〜１５０ｍｍ程度の太い幅の線が入ることになる。本来なら巾木は無いほうが美しく、従来のように高さのある巾木は美観上好ましくない。また、巾木の下にスポンジを付けると、床面の不陸に対応することはできるが、スポンジが壁面の一部として現れるため、美観上好ましくない。
【０００５】
本発明の課題は、床面の不陸による巾木との間の隙間を見えにくくするとともに、巾木の見え掛りを小さくして壁面を美しく仕上げることである。
【課題を解決するための手段】
【０００６】
以上の課題を解決するため、請求項１に記載の発明は、例えば図１に示すように、建物において壁と床とが接する部分に設けられ、床面１３から所定高さの壁面を覆う巾木１であって、前記所定高さの壁面のうち上部を覆う前板部２と、この前板部２の下端から後方に延びる中間板部４と、この中間板部４の後端から下方に延びて前記所定高さの壁面のうち下部を覆う後板部６とを有していることを特徴とする。
【０００７】
請求項２に記載の発明は、例えば図２に示すように、請求項１に記載の巾木１を用いる巾木の取付構造であって、壁面１０を構成する壁板材（壁下地材１１）の下端が前記所定高さの中間部に位置しており、前記前板部２が前記壁板材の下端部（１１ａ）の表面側に位置し、前記中間板部４が前記壁板材の下面側に位置し、前記後板部６が前記壁板材よりも後方の壁（壁構造材１２）の表面側に位置しており、床面１３と前記中間板部４の間に前記前板部２の下方から前記後板部６に向かって空間８が形成されていることを特徴とする。
【０００８】
このように、前板部２を壁板材の下端部の表面（前記所定高さの壁面のうち上部）側に位置させ、前板部２の下端から後方に延びる中間板部４を壁板材の下面側に位置させ、中間板部４の後端から下方に延びる後板部６を壁板材よりも後方の壁の表面（前記所定高さの壁面のうち下部）側に位置させていることにより、床面１３から所定高さの壁面を覆って保護している。ここで、壁面１０を構成する壁板材としては、仕上材又は表面に仕上げが施される下地材などの板状のものが挙げられる。
【０００９】
そして、後板部６が壁の内側に後退し、床面１３と中間板部４の間に前板部２の下方から後板部６に向かって空間８が形成されていることにより、床面１３と接する後板部６の下端が壁面１０の前面に現れずに壁の内側に隠れるため、人の視線が及びにくくなり、床面１３の不陸による巾木１の下端との隙間を見えにくくすることができる。
【００１０】
さらに、壁面１０の前面に前板部２だけが現れることとなるため、巾木１の見え掛りの高さは、後板部６の高さの分だけ小さくなる。よって、従来のように太い幅の線ではなく、細い幅の線で表現することができ、壁面１０を美しく仕上げることができる。
【００１１】
請求項３に記載の発明は、例えば図２に示すように、請求項２に記載の巾木１の取付構造において、前記空間８の奥部には床面１３の変形に応じて伸縮する弾性材９が設けられていることを特徴とする。
【００１２】
このように、床面１３の変形に応じて伸縮する弾性材９を、前板部２の下方から後板部６に向かって形成される空間８の奥部に設けることにより、経年変化などによる床面１３の不陸で生じる隙間を無くすことができる。この場合でも、弾性材９が壁面１０を構成する壁板材の前面に現れずに壁の内側に隠れるため、人の視線が及びにくくなり、弾性材９を見えにくくすることができる。
【００１３】
請求項４に記載の発明は、例えば図２に示すように、請求項２または３に記載の巾木１の取付構造において、前記巾木１は前記中間板部４の後端から上方に延びて前記前板部２に対向する対向板部７を有しており、この対向板部７が前記壁板材の下端部１１ａの裏面側に位置していることを特徴とする。
【００１４】
このように、中間板部４の後端から上方に延びて前板部２に対向する対向板部７を、壁板材の下端部１１ａの裏面側に位置させていることにより、壁板材の設置を、その下端を取り付けられた巾木１の前板部２と対向板部７との間に差し込みながら容易に行うことができる。
【発明の効果】
【００１５】
本発明によれば、床面の不陸による巾木との間の隙間を見えにくくすることができ、さらに巾木の見え掛りを小さくして壁面を美しく仕上げることができる。
【発明を実施するための最良の形態】
【００１６】
以下、図を参照して本発明を実施するための最良の形態を詳細に説明する。巾木は、建物において壁と床とが接する部分に設けられるものである。そして、床面から所定高さの壁面を覆って、掃除機の吸込口やモップの先端部による汚れや傷ができないように保護する。
【００１７】
まず、本実施の形態における巾木について説明する。図１に示すように、巾木１は、アルミ製の板状のもので、折れ曲がって形成されている。すなわち、床面１３から所定高さの保護すべき壁面のうち上部を覆う前板部２と、この前板部２の下端から後方に延びる中間板部４と、この中間板部４の後端から下方に延びて床面１３から所定高さの壁面のうち下部を覆う後板部６とを有している。
【００１８】
前板部２は、厚さ１ｍｍ、高さ１１ｍｍである。この前板部２の上端には後方へ突出する突起部３が形成されている。中間板部４は、前板部２の下端から直角に折れ曲がっており、厚さ１ｍｍ、幅１８．５ｍｍである。この中間板部４の途中には１ｍｍの段差が形成され、上方に凹んだ溝５が形成されている。後板部６は、中間板部４の後端から直角に折れ曲がっており、厚さ１ｍｍ、高さ１４ｍｍである。
【００１９】
また、巾木１は、中間板部４の後端から上方に延びて前板部２に対向する対向板部７を有している。この対向板部７の厚さは、その前面が傾斜して上方にいくにしたがって徐々に小さくなり、下端部１１ａで１ｍｍ、上端部で０．６ｍｍである。この対向板部７の高さは、２６ｍｍである。対向板部７の前面と前板部２の突出部の先端との距離は、後述する壁板材（壁下地材１１）の厚みよりも若干（０．５ｍｍ程度）大きいものである。
【００２０】
次に、本実施の形態における、上記巾木１を用いる巾木の取付構造について説明する。図２に示すように、本実施の形態では、壁面１０は、柱や間柱などの壁構造材１２に厚さ１５ｍｍの石膏ボードなどの壁下地材１１（壁板材）を取り付けて、壁下地材１１の表面にクロス貼り１５などの仕上げが施されて構成されている。また、床面１３は、合板などの床仕上材１４が敷設されて仕上げられている。
【００２１】
壁下地材１１の下端は保護すべき床面１３から所定高さの中間部に位置し、床面１３との間に隙間が形成されている。そして、巾木１はこの壁下地材１１の下端に沿って取り付けられている。すなわち、巾木１の前板部２が壁下地材１１の下端部１１ａの表面側に位置し、中間板部４が壁下地材１１の下面側に位置し、後板部６が壁下地材１１よりも後方の壁（壁構造材１２）の表面側に位置している。
【００２２】
そして、床面１３と前記中間板部４の間に前記前板部２の下方から前記後板部６に向かって空間８が形成されている。すなわち、形成される空間８は、巾木１の中間板部４の下面と後板部６の前面及び床面１３の三面で囲まれたものである。この空間８の奥行は、その高さよりも大きくなっている。具体的には、奥行１８．５ｍｍ、高さ１３ｍｍ（溝５部分を除く）である。
【００２３】
後板部６が壁の内側に後退し、床面１３と中間板部４の間に前板部２の下方から後板部６に向かって空間８が形成されているので、床面１３と接する後板部６の下端が壁面１０の前面に現れずに壁の内側に隠れる。そのため、人の視線が及びにくくなり、床面１３の不陸による巾木１の下端との隙間が見えにくくなる。
【００２４】
さらに、壁面１０の前面には前板部２だけが床面１３から浮いて現れることとなるので、巾木１の見え掛りの高さは、後板部６の高さの分だけ小さくなり、従来のように太い幅の線ではなく、細い幅の線で表現され、壁面１０が美しく仕上がる。
【００２５】
また、その細い直線となる前板部２は、掃除機の吸込口などの高さと同じレベルにあり、壁の仕上げを汚したり損傷したりすることもなく掃除をすることができる。また、後板部は、モップなどで後方の壁面を汚したり損傷したりすることを防止することができる。
【００２６】
そして、空間８の奥部には、床面１３の変形に応じて伸縮する弾性材９が設けられている。この弾性材９の上端部が、巾木１の中間板部４の溝５に嵌め込まれている。弾性材９は嵌めこまれた際に上下方向に縮められ、下方への付勢力を保った状態にある。弾性材９としては、例えば軟質ゴム、スポンジなどの弾力性のあるものが挙げられる。
【００２７】
床面１３の変形に応じて伸縮する弾性材９を、前板部２の下方から後板部６に向かって形成される空間８の奥部に設けるので、経年変化などによる床面１３の不陸で生じる隙間を無くすことができる。この場合でも、弾性材９が壁面１０を構成する壁板材の前面に現れずに壁の内側に隠れるので、人の視線が及びにくくなり、弾性材９が見えにくくなる。
【００２８】
この巾木の取付構造の施工順序としては、まず、巾木１を、その後板部６の下端を床面１３に当接させ、後板部６及び対向板部７の後面を壁構造材１２に接した状態で、対向板部７に釘等を打ち付けて壁構造材１２に対して取り付ける。次に、壁下地材１１を、その下端部１１ａを巾木１の前板部２の突起部３と対向板部７との間に差し込みながら、釘等により打ち付けて壁構造材１２に対して所定の位置に固定する。そして、巾木１の中間板部４と床との間に弾性材９を押し込み、弾性材９の上端部を溝５に嵌め込む。
【００２９】
壁下地材１１の設置は、その下端部１１ａを巾木１の前板部２と対向板部７との間に差し込み、位置決め、設置する際のガイドとしながら、容易に行うことができる。また、前板部２に隠されるので、壁下地材１１の下端を気にすることなく施工することができる。また、対向板部７も、壁下地材１１に裏面側に位置するので、高さがあっても隠すことができる。
【００３０】
なお、以上の実施の形態においては、壁面を構成する壁板材として、石膏ボードなどの壁下地材としたが、本発明はこれに限定されるものではなく、化粧合板などの壁仕上材などであっても良い。また、壁面の仕上げをクロス貼りとしたが、塗り仕上げとしても良い。塗り壁として仕上げる場合には、巾木の前板部の突起部をその材料の押さえとすることができる。
【００３１】
また、巾木の材質をアルミ製としたが、その他の金属製、又は樹脂製であってもよい。巾木の中間板部の幅は、壁下地材の厚みに応じて適宜変更されるものである。例えば、壁下地材の厚みが１２．５ｍｍであれば、中間板部の幅は１６ｍｍとする、というようにである。後板部の高さは、中間板部の幅に応じて適宜変更してもよい。例えば、中間板部の幅が広くなれば、後板部の高さも高くでき、前板部の高さをさらに小さくすることもできる。その他、具体的な細部構造等についても適宜に変更可能であることは勿論である。
【図面の簡単な説明】
【００３２】
【図１】本発明を適用した一実施の形態の巾木を示す斜視図である。
【図２】上記巾木を用いた巾木の取付構造の構成を示す断面図である。
【符号の説明】
【００３３】
１  巾木
２  前板部
３  突起部
４  中間板部
５  溝
６  後板部
７  対向板部
８  空間
９  弾性材
１０  壁面
１１  壁下地材（壁面を構成する壁板材）
１２  壁構造材
１３  床面
１４  床仕上材
１５  クロス貼り
【図１】
2007126922.tif 000003
【図２】
2007126922.tif 000004